(57)【特許請求の範囲】
【請求項１】
オーディオ信号を入力する入力手段と、
前記オーディオ信号を記録媒体に記録しつつストリーミング再生する処理手段と、
前記ストリーミング再生されたオーディオ信号を送信する無線ＬＡＮモジュールと、
を備え、前記無線ＬＡＮモジュールと無線接続された携帯機器で前記オーディオ信号をバックアップ録音可能とし、さらに、
前記オーディオ信号が第１フォーマットで格納される録音用バッファメモリと、
前記オーディオ信号が前記第１フォーマットと異なるバックアップ録音用の第２フォーマットに変換されて格納されるストリーミング再生用バッファメモリと、
を備え、前記処理手段は、前記録音用バッファメモリに格納された第１フォーマットのオーディオ信号を前記記録媒体に記録し、かつ、前記ストリーミング再生用バッファメモリに格納された第２フォーマットのオーディオ信号をストリーミング再生する
ことを特徴とする無線ＬＡＮ機能を備えた録音再生装置。
【請求項２】
請求項１に記載の無線ＬＡＮ機能を備えた録音再生装置において、
前記処理手段は、前記携帯機器から送信されたコマンドに応じて前記オーディオ信号を記録媒体に記録しつつストリーミング再生する
ことを特徴とする無線ＬＡＮ機能を備えた録音再生装置。
【発明の詳細な説明】
【技術分野】
【０００１】
本発明は録音装置に関し、特に無線ＬＡＮ機能を備えた録音再生装置に関する。
【背景技術】
【０００２】
従来から、録音再生装置を用いてバックアップ録音を行う場合、複数の録音再生装置を用意して同時に同じ音源を録音する、あるいは、録音再生装置に複数の記録媒体を装着し、複数の記録媒体に同時に同じオーディオ信号を記録する、あるいは、単一の記録媒体を複数の記録領域に分割し、それぞれの分割領域に同時に同じオーディオ信号を記録する等の方法が知られている。
【０００３】
特許文献１には、デジタル化された音声信号を記録媒体に記録するとともに、録音動作中に生成される音声データを通信可能に接続される外部処理装置に送信する録音装置が記載されており、外部処理装置から通信失敗による不完全通知を受信した場合に、送信を失敗した可能性のある音声データを記録媒体から読み出して再送信することが記載されている。
【０００４】
特許文献２には、デジタル波形データを複数の録音バッファを介して補助記憶手段とバックアップ補助記憶手段に書き込むレコーディング装置が記載されている。  
【先行技術文献】
【特許文献】
【０００５】
【特許文献１】特開２０１２−２０３６５９号公報
【特許文献２】特許第２８２３０３３号
【発明の概要】
【発明が解決しようとする課題】
【０００６】
複数の録音再生装置を用いてバックアップ録音する場合には、正確に機能させるために複数の録音再生装置を同じ環境に隣接配置し、同じアクションを同時にコントロールする必要があることから、操作性及び作業効率が極めて低い問題がある。
【０００７】
また、複数の記録媒体を装着できるようにするためには、記録媒体の装着スペースを確保するために録音再生装置が大型化し、サイズを小型化してポータブルな録音再生装置を提供する際の問題となる。
【０００８】
さらに、単一の記録媒体を複数の記録領域に分割する方法では、音声データの最大記録容量が実質的に低下し、長時間録音が困難となる問題がある。
【０００９】
特許文献１では、録音動作中に生成される音声データを通信可能に接続される外部処理装置に送信して録音することが記載されているが、近年、特に技術進展が著しく多くのユーザが所有しているスマートフォン等との連携については全く考慮されていない。  
【００１０】
本発明は、スマートフォン等の無線接続機能を備えた携帯機器との間で無線接続することで、操作性及び作業効率に優れたバックアップ録音を行うことのできる録音再生装置を提供することにある。  
【課題を解決するための手段】
【００１１】
本発明は、オーディオ信号を入力する入力手段と、前記オーディオ信号を記録媒体に記録しつつストリーミング再生する処理手段と、前記ストリーミング再生されたオーディオ信号を送信する無線ＬＡＮモジュールとを備え、前記無線ＬＡＮモジュールと無線接続された携帯機器で前記オーディオ信号をバックアップ録音可能とし、さらに、前記オーディオ信号が第１フォーマットで格納される録音用バッファメモリと、前記オーディオ信号が前記第１フォーマットと異なるバックアップ録音用の第２フォーマットに変換されて格納されるストリーミング再生用バッファメモリとを備え、前記処理手段は、前記録音用バッファメモリに格納された第１フォーマットのオーディオ信号を前記記録媒体に記録し、かつ、前記ストリーミング再生用バッファメモリに格納された第２フォーマットのオーディオ信号をストリーミング再生することを特徴とする。無線接続された携帯機器は、１台である必要はなく複数台でもよい。
【００１３】
本発明の１つの実施形態では、前記処理手段は、前記携帯機器から送信されたコマンドに応じて前記オーディオ信号を記録媒体に記録しつつストリーミング再生する。
【発明の効果】
【００１４】
本発明によれば、スマートフォン等の無線接続機能を備えた携帯機器との間で無線接続することで、操作性及び作業効率に優れたバックアップ録音が可能となる。
【図面の簡単な説明】
【００１５】
【図１】実施形態のシステム構成図である。
【図２】実施形態の処理フローチャートである。
【図３】実施形態の録音再生装置の構成ブロック図である。
【図４】実施形態のシステムコントローラの処理を示す模式図である。
【図５】実施形態のシステムコントローラの他の処理を示す模式図である。
【発明を実施するための形態】
【００１６】
以下、図面に基づき本発明の実施形態について説明する。
図１は、本実施形態のシステム構成図である。録音再生装置１０は、無線接続機能を備えた携帯機器と無線接続する。本実施形態では、無線接続機能を備えた携帯機器としてスマートフォン１２を例示し、無線接続として無線ＬＡＮ、より特定的にはＷｉ−Ｆｉ接続を例示する。Ｗｉ−Ｆｉモジュールを備えたスマートフォンは公知であり、無線ルータ等のアクセスポイントを介してインターネットに接続し得る。
【００１７】
録音再生装置１０は、公知の録音再生機能を備え、内蔵マイク２２やライン入力端子２４から入力されたオーディオ信号を処理してＳＤカード等の記録媒体に記録し、かつ、ＳＤカードに記録されたオーディオ信号を再生して内蔵スピーカから出力する。また、録音再生装置１０は、Ｗｉ−Ｆｉモジュールを備え、スマートフォン１２との間でＷｉ−Ｆｉ接続する。録音再生装置１０とスマートフォン１２との間のＷｉ−Ｆｉ接続は、１対１接続でもよく、１対多接続でもよい。
【００１８】
録音再生装置１０のユーザは、所望の楽曲パートを演奏し、所望のオーディオ信号を録音再生装置１０の内蔵マイク２２（あるいはライン入力端子２４）に入力して録音する。図１では、所望の楽曲パートとしてギター等の楽器１４のパートが示されているが、これ以外の任意のパート、例えばベースパート、ヴォーカルパート、ドラムパート等でもよい。録音再生装置１０は、楽器１４により生成されたオーディオ信号を入力してＳＤカード等の記録媒体に記録して録音するとともに、これと並行して、当該オーディオ信号をストリーミング再生し、Ｗｉ−Ｆｉ接続を介してスマートフォン１２に送信する。
【００１９】
スマートフォン１２は、Ｗｉ−Ｆｉモジュールを備え、録音再生装置１０とＷｉ−Ｆｉ接続する。ユーザは、スマートフォン１２にインストールされた所定のアプリケーションを起動し、このアプリケーションを操作して、録音再生装置１０から送信されたオーディオ信号を受信し、ＳＤカード等の内蔵の記録媒体に記録することで録音する。従って、オーディオ信号は、内蔵マイク２２（あるいはライン入力端子２４）を介して録音再生装置１０に録音されると同時に、スマートフォン１２にも録音されることになり、スマートフォン１２での録音を録音再生装置１０における録音のバックアップ録音と位置づけることができる。
【００２０】
このように、録音再生装置１０とスマートフォン１２をＷｉ−Ｆｉ接続し、録音再生装置１０でオーディオ信号を録音するとともにストリーミング再生してスマートフォン１２に送信し、スマートフォン１２でバックアップ録音することで、記録媒体の交換等を行う必要がなくなるとともに、Ｗｉ−Ｆｉ接続可能な範囲内においてスマートフォン１２を所望の位置に自由に配置することができるため、操作性及び作業効率が格段に向上する。
【００２１】
図２は、本実施形態の処理フローチャートである。
まず、録音再生装置１０は、スマートフォン１２との間でＷｉ−Ｆｉ接続を行う（Ｓ１０１）。具体的には、録音再生装置１０のＷｉ−Ｆｉボタンを操作してＷｉ−Ｆｉモジュールを起動する。次に、スマートフォン１２側のＷｉ−Ｆｉボタンあるいはアイコンを操作してＷｉ−Ｆｉモジュールを起動する。スマートフォン１２で録音再生装置１０を検出し、録音再生装置１０の無線ＬＡＮにおけるアクセスポイントの識別名であるＳＳＩＤが表示されたときに、これに対応するパスワードを入力してＷｉ−Ｆｉ接続を確立する。なお、パスワードは、録音再生装置１０の表示部に表示してユーザに視認させることができる。録音再生装置１０は、特定のスマートフォン１２との間にＷｉ−Ｆｉ接続を確立すると、その旨をＬＥＤ等の点灯により表示する。録音再生装置１０は、無線ＬＡＮにおけるアクセスポイントとして機能する。また、スマートフォン１２側で所望のアプリケーションを起動し、録音再生装置１０から送信されるオーディオ信号の受信待ち状態に移行する。なお、スマートフォン１２と録音再生装置１０との接続は、ＮＦＣ（Near Field Communication）技術を使用して確立させるようにしてもよい。
【００２２】
次に、録音再生装置１０の操作ボタンを操作して録音を開始し、楽器１４を演奏してそのオーディオ信号を内蔵マイク２２（あるいはライン入力端子２４）から入力する（Ｓ１０２）。
【００２３】
次に、録音再生装置１０は、オーディオ信号をＳＤカード等の記録媒体に記録して録音しながら、これと並行として、当該オーディオ信号をストリーミング再生する（Ｓ１０３）。すなわち、オーディオ信号を録音用バッファメモリに格納しつつ、他方でストリーミング再生用バッファメモリに格納し、これと並行して当該ストリーミング再生用バッファメモリからオーディオ信号を読み出してＷｉ−Ｆｉモジュールに供給してスマートフォン１２に送信する（Ｓ１０４）。録音用バッファメモリに格納されたオーディオ信号はＳＤカード等に記録される。ストリーミング再生に用いるプロトコルは任意であり、ＲＴＳＰ、ＭＭＳ、ＲＴＭＰ、ＨＴＴＰ  Ｌｉｖｅ  Ｓｔｒｅａｍｉｎｇ、ＭＰＥＧ−ＤＡＳＨ等を用い得る。
【００２４】
スマートフォン１２では、録音再生装置１０から送信されたオーディオ信号を受信し、ＳＤカード等の記録媒体に記録して録音する（Ｓ１０５）。
【００２５】
録音再生装置１０での録音が完了すると、ユーザは録音再生装置１０の操作ボタンを操作して録音を停止する。これに伴い、録音再生装置１０は、オーディオ信号の送信を停止し、スマートフォン１２でのバックアップ録音も停止する。
【００２６】
図２の処理では、録音再生装置１０での録音開始／停止、及びスマートフォン１２での録音開始／停止をそれぞれ別個に操作しているが、スマートフォン１２を録音再生装置１０のリモコンとして機能させ、スマートフォン１２側で一括して録音開始／停止を制御してもよい。
【００２７】
具体的には、録音再生装置１０とスマートフォン１２とのＷｉ−Ｆｉ接続が確立すると、ユーザはスマートフォン１２にインストールされた所定のアプリケーション（録音再生装置１０の監視や制御に必要なアプリケーション）を起動する。所定のアプリケーションにおいて録音開始を指示すると、スマートフォン１２側において受信待機状態に移行するとともに、スマートフォン１２から録音再生装置１０に対して録音開始を指示するコマンドを送信する。録音再生装置１０は、スマートフォン１２からのコマンドに応じて録音を開始する。また、ユーザがスマートフォン１２の所定のアプリケーションにおいて録音停止を指示すると、スマートフォン１２側において録音を停止するとともに、スマートフォン１２から録音再生装置１０に対して録音停止を指示するコマンドを送信する。録音再生装置１０は、スマートフォン１２からのコマンドに応じて録音を停止する。
【００２８】
また、図２の処理において、録音再生装置１０とスマートフォン１２には同一オーディオ信号が同時録音されることになるが、そのフォーマットは必ずしも同一である必要はなく、異なっていてもよい。例えば、録音再生装置１０ではオーディオ信号をｗａｖフォーマットで録音し、他方、スマートフォン１２にはＷｉ−Ｆｉ接続の通信速度を考慮してｍｐ３フォーマットで録音する等である。この場合、録音再生装置１０では、録音用バッファメモリにはｗａｖフォーマットで格納し、他方、ストリーミング再生用バッファメモリにはｍｐ３フォーマットに変換した上で格納する。
【００２９】
スマートフォン１２で実行されたバックアップ録音は、各種の用途に使用し得る。例えば、スマートフォン１２にバックアップ録音されたオーディオ信号を再生することで録音再生装置１０に録音されているオーディオ信号を簡易に、かつ手軽に確認することができる。また、ユーザは、スマートフォン１２にバックアップ録音されたオーディオ信号をインターネット上のサービス（クラウドサイト）等にアップロードしてもよい。
【００３０】
次に、本実施形態における録音再生装置１０の具体的な構成について説明する。
図３は、本実施形態の録音再生装置１０の構成ブロック図である。録音再生装置１０は、Ｗｉ−Ｆｉモジュール２０、内蔵マイク２２、ライン入力端子２４、内蔵スピーカ３０、ディスプレイ３２、操作ボタン３４、システムコントローラ３６、及びＳＤコネクタ４２を備える。
【００３１】
Ｗｉ−Ｆｉモジュール２０は、無線ＬＡＮモジュールであり、スマートフォン１２とのＷｉ−Ｆｉ接続及びデータ送受を行うモジュールである。Ｗｉ−Ｆｉモジュール２０は、操作ボタン３４の操作に応じて起動し、スマートフォン１２とのＷｉ−Ｆｉ接続を確立し、スマートフォン１２に対してストリーミング再生したオーディオ信号を送信する。また、Ｗｉ−Ｆｉモジュール２０は、必要に応じてスマートフォン１２からコマンドを受信し、受信したコマンドをシステムコントローラ３６に供給する。このコマンドは、録音再生装置１０の動作を制御するコマンドであり、例えば録音開始、録音停止等である。スマートフォン１２は、Ｗｉ−Ｆｉモジュール２０を介してシステムコントローラ３６から録音再生装置１０のステータスを取得し、スマートフォン１２のディスプレイに表示してもよい。
【００３２】
内蔵マイク２２は、Ｒチャンネル及びＬチャンネルのステレオマイクであり、演奏された楽器等のオーディオ信号を入力し、インタフェース（Ｉ／Ｆ）２６に出力する。
【００３３】
ライン入力端子２４は、外部機器からのオーディオ信号をライン入力し、インタフェース（Ｉ／Ｆ）２６に出力する。
【００３４】
インタフェース（Ｉ／Ｆ）２６は、内蔵マイク２２あるいはライン入力端子２４からのオーディオ信号をコーデック（ＣＯＤＥＣ）２８に出力する。
【００３５】
コーデック（ＣＯＤＥＣ）２８は、入力されたオーディオ信号をデジタル信号に変換し、圧縮及び符号化してシステムコントローラ３６に供給する。また、システムコントローラ３６から供給されたオーディオ信号を伸長及び復号化し、アナログオーディオ信号に変換して内蔵スピーカ３０から出力する。コーデック（ＣＯＤＥＣ）２８は、内蔵マイク２２あるいはライン入力端子２４からのオーディオ信号を処理するモジュールと、内蔵スピーカ３０に出力するオーディオ信号を処理するモジュールに分離していてもよい。
【００３６】
ディスプレイ３２は、ＬＣＤパネルあるいは有機ＥＬパネル等から構成され、録音再生装置１０の各種ステータス、例えば録音／再生のタイムカウンタや録音レベルを表示する。ディスプレイ３２には、Ｗｉ−Ｆｉモジュール２０の起動状態や接続状態を示すＬＥＤが含まれる。例えば、Ｗｉ−Ｆｉボタンが操作されてＷｉ−Ｆｉモジュール２０が起動し、接続スタンバイ状態になるとＬＥＤは点滅し、スマートフォン１２との接続が確立するとＬＥＤが点灯し、Ｗｉ−Ｆｉボタンが操作されてＷｉ−Ｆｉモジュール２０がオフするとＬＥＤも消灯する。
【００３７】
操作ボタン３４は、録音再生装置１０の動作を指示するボタンである。操作ボタン３４には、Ｗｉ−Ｆｉのオン／オフを切り替えるＷｉ−Ｆｉボタン、録音／再生／停止ボタン、録音レベル調整ボタン、トラック選択ボタン等が含まれる。操作ボタン３４をジョグダイヤルやディスプレイ３２上のタッチボタンとして構成してもよい。
【００３８】
システムコントローラ３６は、プロセッサ及びメモリで構成され、録音再生装置１０の各部を制御する。システムコントローラ３６は、ＲＯＭ３８に記録された処理プログラムに従い、ＲＡＭ４０をワーキングメモリとして用いて各種処理を実行する。各種処理には、Ｗｉ−Ｆｉモジュール２０の起動／オフ、スマートフォン１２との接続確立、内蔵マイク２２あるいはライン入力端子２４から入力されたオーディオ信号の処理、当該オーディオ信号のＳＤカードへの記録、当該オーディオ信号のストリーミング再生、ストリーミング再生されたオーディオ信号のＷｉ−Ｆｉモジュール２０への供給等が含まれる。システムコントローラ３６は、複数のプロセッサを備えていてもよく、ＰＬＤ（プログラマブルロジックデバイス）と協働してもよい。
【００３９】
ＳＤコネクタ４２には、ＳＤカードが装着される。システムコントローラ３６は、オーディオ信号をＳＤカードに記録することで録音する。また、ＳＤカードに記録されているオーディオ信号を読み出し、コーデック（ＣＯＤＥＣ）２８を介して内蔵スピーカ３０から出力する。
【００４０】
システムコントローラ３６は、上記の通り、オーディオ信号を録音しつつ、これをストリーミング再生してスマートフォン１２に送信する。システムコントローラ３６は、この処理を複数の内蔵バッファメモリを用いて実行する。
【００４１】
図４は、システムコントローラ３６における処理の模式図である。
システムコントローラ３６は、バッファメモリとして、入力用バッファメモリ３６ａ、録音用バッファメモリ３６ｂ、及びストリーミング再生用バッファメモリ３６ｃを用いる。
【００４２】
内蔵マイク２２（あるいはライン入力端子２４）から入力されたオーディオ信号は、デジタル化され、圧縮・符号化されて入力用バッファメモリ３６ａに格納される。そして、オーディオ信号は、入力用バッファメモリ３６ａから読み出され、録音用バッファメモリ３６ｂに格納されるとともに、送信用の所定のフォーマット、例えばｍｐ３フォーマットに変換された上で、ストリーミング再生用バッファメモリ３６ｃにも格納される。
【００４３】
録音用バッファメモリ３６ｂに格納されたオーディオ信号は、ＳＤコネクタ４２に装着されたＳＤカードに記録される。
【００４４】
他方、ストリーミング用バッファメモリ３６ｃに格納されたオーディオ信号は、ストリーミング再生されてＷｉ−Ｆｉモジュール２０に供給され、スマートフォン１２に送信される。ストリーミング再生用バッファメモリ３６ｃは、バッファメモリをリング状に配置し、読み出し位置が書き込み位置を追いかけつつ回るリングバッファで構成する。読み出し位置から書き込み位置までの領域をデータ保存領域とし、この領域を変更禁止にすることで書き込まれたデータを正しく読み出すことができる。それ以外の領域を、次の読み出しに備えてデータを更新できる領域とする。必要に応じ、バッファメモリ全体をＮ等分（例えば４等分）して一回の処理で更新を行う領域を定義してもよい。
【００４５】
図５は、システムコントローラ３６における他の処理の模式図である。録音再生装置１０と複数のスマートフォン１２がＷｉ−Ｆｉ接続する場合である。図５では、２台のスマートフォン１２ａ、１２ｂが例示されているが、これ以上であってもよい。
【００４６】
システムコントローラ３６は、バッファメモリとして、入力用バッファメモリ３６ａ、録音用バッファメモリ３６ｂ、及びストリーミング再生用バッファメモリ３６ｃ、３６ｄを用いる。
【００４７】
内蔵マイク２２（あるいはライン入力端子２４）から入力されたオーディオ信号は、デジタル化され、圧縮・符号化されて入力用バッファメモリ３６ａに格納される。そして、オーディオ信号は、入力用バッファメモリ３６ａから読み出され、録音用バッファメモリ３６ｂに格納されるとともに、送信用の所定のフォーマット、例えばｍｐ３フォーマットに変換された上で、ストリーミング再生用バッファメモリ３６ｃ、３６ｄにも格納される。
【００４８】
録音用バッファメモリ３６ｂに格納されたオーディオ信号は、ＳＤコネクタ４２に装着されたＳＤカードに記録される。
【００４９】
他方、ストリーミング用バッファメモリ３６ｃ、３６ｄに格納されたオーディオ信号は、ストリーミング再生されてＷｉ−Ｆｉモジュール２０に供給され、スマートフォン１２ａ、１２ｂにそれぞれ送信される。ストリーミング再生用バッファメモリ３６ｃ、３６ｄは、図４の場合と同様にバッファメモリをリング状に配置し、読み出し位置が書き込み位置を追いかけつつ回るリングバッファで構成する。読み出し位置から書き込み位置までの領域をデータ保存領域とし、この領域を変更禁止にすることで書き込まれたデータを正しく読み出すことができる。それ以外の領域を、次の読み出しに備えてデータを更新できる領域とする。
【００５０】
複数のスマートフォン１２ａ、１２ｂで同時にバックアップ録音することにより、仮に通信障害が発生したスマートフォンが存在しても他のスマートフォンによるバックアップ録音でリカバリすることができる。
【００５１】
また、複数のスマートフォン１２ａ、１２ｂで同時にバックアップ録音する場合において、スマートフォン１２ａ、１２ｂに応じてフォーマットを変えてバックアップ録音することも可能である。例えば、スマートフォン１２ａには録音再生装置１０と同一フォーマットとし、スマートフォン１２ｂには圧縮したフォーマットとする等である。
【００５２】
以上のように、本実施形態では、録音再生装置１０でオーディオ信号を録音すると同時にスマートフォン１２でバックアップ録音するので、操作性及び作業効率に優れたバックアップ録音が実現する。
【００５３】
なお、本実施形態では、録音再生装置１０での録音停止とスマートフォン１２での録音停止を連動させているが、録音再生装置１０での録音が停止した場合でも、スマートフォン１２でのバックアップ録音を引き続き継続してもよい。例えば、録音再生装置１０の記録媒体の容量よりもスマートフォン１２の記録媒体の容量の方が大きい場合、たとえ録音再生装置１０での録音の途中で記録媒体の容量がフルとなりそれ以上の録音が不可能となっても、スマートフォン１２でのバックアップ録音を継続することで、実質的に録音時間を延長することが可能である。本実施形態において、スマートフォン１２でバックアップ録音することの利点をまとめると、以下の通りである。
（１）簡易かつ手軽にバックアップ録音することができる。
（２）スマートフォン１２のメモリ容量を用いて長時間録音することができる。
（３）バックアップ録音したオーディオ信号を容易にインターネットにアップロードすることができる。
（４）スマートフォン１２に所定のアプリケーションをインストールすることで録音再生装置１０を遠隔から制御して録音の開始／停止を制御できる。
（５）複数のスマートフォン１２に同時にバックアップ録音することで、確実なバックアップが可能となる。
【００５４】
因みに、録音再生装置１０での録音の途中で記録媒体の容量がフルとなりそれ以上の録音が不可能となった場合において、スマートフォン１２でのバックアップ録音を継続したときに、録音再生装置１０において記録媒体を交換して録音を再開するが、記録媒体の交換作業の間に欠落したオーディオ信号をスマートフォン１２から取り込むことで修復してもよい。この場合には、録音再生装置１０の録音フォーマット、スマートフォン１２での録音フォーマットが同一であるのが望ましい。
【００５５】
また、図５のように複数のスマートフォン１２にバックアップ録音する場合、どのスマートフォン１２にバックアップ録音したかの情報を録音再生装置１０側で保持してもよい。例えば、スマートフォン１２ａ、１２ｂをそれぞれ特定するＩＤとともに、バックアップ録音した日時及びファイル名をＳＤカードに記録しておく等である。ユーザは、この情報を確認することで、どのスマートフォン１２に特定ファイルのバックアップが存在するかを容易に確認できる。
【００５６】
また、本実施形態において、スマートフォン１２でバックアップ録音するとともに、録音再生装置１０における録音ステータスを取得してスマートフォン１２の画面に表示してもよく、これによりユーザは録音再生装置１０から離れた位置において録音再生装置１０の録音状態を視認できる。
【００５７】
また、本実施形態では、録音再生装置１０の内蔵マイク２２からオーディオ信号を入力しているが、内蔵マイク２２に代えて外部マイクを用いてもよい。
【００５８】
また、本実施形態では、無線接続としてＷｉ−Ｆｉ接続を例示したが、ブルートゥース（登録商標）等を用いてもよい。
【符号の説明】
【００５９】
１０  録音再生装置、１２  スマートフォン、１４  楽器、２０  Ｗｉ−Ｆｉモジュール、２２  内蔵マイク、２４  ライン入力端子、３０  内蔵スピーカ、３２  ディスプレイ、３４  操作ボタン、３６  システムコントローラ、４２  ＳＤコネクタ。
【図１】
0006540007.tif 000002
【図２】
0006540007.tif 000003
【図３】
0006540007.tif 000004
【図４】
0006540007.tif 000005
【図５】
0006540007.tif 000006